(57)【特許請求の範囲】
【請求項１】
遊技機内に着脱可能に装着され、遊技機の遊技動作を制御する回路基板を収納する基板ボックスを、シリンダ錠を用いて遊技機側の固定部に対し施錠する基板ボックスの施錠具において、
該シリンダ錠には外周部の先端寄りにフランジ部が設けられると共に、該シリンダ錠の末端から突出した錠軸に平板状のラッチ部材が固定され、前記固定部の一部に合わせ部が形成され、該合わせ部の背面には該ラッチ部材が入り込む凹部が形成され、前記基板ボックスの一部に該固定部の合わせ部と密に接合される被合わせ部が形成されると共に、該合わせ部と被合わせ部に略長円状で同一断面形状の嵌入孔が同軸状に貫通して穿設され、
該合わせ部と被合わせ部の合わせ面には、一方に位置決めピンが突出して固定され、他方に該位置決めピンが嵌合する位置決め孔が形成され、合わせ部と被合わせ部は、位置決めピンと位置決め孔の嵌合により、位置決めされて密に接合され、
該合わせ部と被合わせ部の嵌入孔に該ラッチ部材及び該シリンダ錠の外筒部が嵌入されて装着され、該シリンダ錠の外筒部には、両側面を平坦に切削して平坦部が形成されると共に、シリンダ錠の外周部の横断面形状が略長円状に形成され、該シリンダ錠の横断面形状と該ラッチ部材の平面形状と該嵌入孔の横断面形状とが略同一の略長円状に形成され、
該シリンダ錠を該嵌入孔に嵌入して該錠軸をキーで回したとき、ラッチ部材の両端部が嵌入孔の縁部に突き出し、該シリンダ錠のフランジ部と該ラッチ部材の両端部との間で、該合わせ部と被合わせ部を挟むようにロックし、
該シリンダ錠は、該シリンダ錠のキー挿入部にキーを差し込み、所定角度回したとき、解錠状態となって、該嵌入孔に該ラッチ部材及び該シリンダ錠の外筒部を嵌入可能とすると共に、該キーが該シリンダ錠のキー挿入部内に係止され、当該状態から該キーを所定角度反対側に戻すように回したとき、施錠状態となって、該キーが該シリンダ錠から離脱可能となるように構成されたことを特徴とする基板ボックスの施錠具。
【発明の詳細な説明】
【０００１】
【発明の属する技術分野】
本発明は、パチンコ遊技機などの遊技機の回路基板を収納する基板ボックスの施錠具に関し、特に、回路基板を収納する基板ボックスを、シリンダ錠を用いて遊技機側の固定部に対し施錠する基板ボックスの施錠具に関する。
【０００２】
【従来の技術】
パチンコ遊技機の制御回路基板には、通常、ＣＰＵと共に遊技制御用ＲＯＭ、ＲＡＭ、クロック発振器、インターフェイス回路等が実装され、そこには、始動入賞検出器、継続入賞検出器等各種の入賞検出器からの信号の伝送路、景品球払出装置との間の信号伝送路、さらに特別図柄変動表示装置との間の信号伝送路等が接続される。
【０００３】
このような制御回路基板に実装される遊技制御用ＲＯＭには、周知のように、特別遊技状態（大当たり）を発生させる確率や条件、連続発生回数等を制御するプログラムが書き込まれ、不正に遊技制御用ＲＯＭが交換された場合、特別遊技状態（大当たり）を発生させる確率が大きく変わり、不正に景品球が払い出されるという問題が生じる。
【０００４】
【発明が解決しようとする課題】
このため、パチンコ遊技機の制御回路基板は、通常、ケース状のカバー体と取付台板からなる基板ボックス内に収納され、製品の出荷時に、カバー体と取付台板間に封印紙を貼着することにより、基板ボックスが不正に開かれることを防止している。また、基板ボックスは、一般に、遊技機の修理、保守点検、或いは遊技プログラムの変更などの際に交換が可能なように、遊技機に対し着脱可能に装着されている。
【０００５】
このために、遊技機の本体枠が不正に解錠された場合、真正の基板ボックスを不正な基板ボックスと不正に交換するなどの不正行為を防止するために、従来、基板ボックスと遊技機に対し施錠具を用いて施錠するようにした基板ボックスが提案されている（例えば特許第３０３４７９４号公報等参照）。
【０００６】
しかし、従来のこの種の基板ボックスを施錠する施錠具は、構造がある程度複雑で部品点数も多く、使いにくい場合があり、また、施錠具が基板ボックスに取り付けられているため、基板ボックスを交換する際には、施錠具も共に交換することになり、それに伴い、キーの変更も余儀なくされ、施錠具の交換に伴う費用の増加が問題となっていた。
【０００７】
本発明は、上記の点に鑑みてなされたもので、構造が簡単で、施錠、解錠操作を容易に行うことができ、基板ボックスに対しては着脱可能で繰り返し使用することができる基板ボックスの施錠具を提供することを目的とする。
【０００８】
【課題を解決するための手段】
上記目的を達成するための、本発明の基板ボックスの施錠具は、遊技機内に着脱可能に装着され、遊技機の遊技動作を制御する回路基板を収納する基板ボックスを、シリンダ錠を用いて遊技機側の固定部に対し施錠する基板ボックスの施錠具において、シリンダ錠には外周部の先端寄りにフランジ部が設けられると共に、シリンダ錠の末端から突出した錠軸に平板状のラッチ部材が固定され、固定部の一部に合わせ部が形成され、合わせ部の背面にはラッチ部材が入り込む凹部が形成され、基板ボックスの一部に固定部の合わせ部と密に接合される被合わせ部が形成されると共に、合わせ部と被合わせ部に略長円状で同一断面形状の嵌入孔が同軸状に貫通して穿設され、
合わせ部と被合わせ部の合わせ面には、一方に位置決めピンが突出して固定され、他方に位置決めピンが嵌合する位置決め孔が形成され、合わせ部と被合わせ部は、位置決めピンと位置決め孔の嵌合により、位置決めされて密に接合され、
合わせ部と被合わせ部の嵌入孔にラッチ部材及びシリンダ錠の外筒部が嵌入されて装着され、シリンダ錠の外筒部には、両側面を平坦に切削して平坦部が形成されると共に、シリンダ錠の外周部の横断面形状が略長円状に形成され、シリンダ錠の横断面形状とラッチ部材の平面形状と嵌入孔の横断面形状とが略同一の略長円状に形成され、シリンダ錠を嵌入孔に嵌入して錠軸をキーで回したとき、ラッチ部材の両端部が嵌入孔の縁部に突き出し、シリンダ錠のフランジ部とラッチ部材の両端部との間で、合わせ部と被合わせ部を挟むようにロックし、シリンダ錠は、シリンダ錠のキー挿入部にキーを差し込み、所定角度回したとき、解錠状態となって、嵌入孔にラッチ部材及びシリンダ錠の外筒部を嵌入可能とすると共に、キーがシリンダ錠のキー挿入部内に係止され、当該状態からキーを所定角度反対側に戻すように回したとき、施錠状態となって、キーがシリンダ錠から離脱可能となるように構成されたことを特徴とする。
【００１２】
【作用】
このような構成の基板ボックスの施錠具は、基板ボックスと固定部の重ね合わされた合わせ部と被合わせ部の嵌入孔に挿入して使用される。基板ボックスは、固定部に対し定位置に装着され、その合わせ部に基板ボックスの被合わせ部が正確に位置決めされて重ね合わせられ、そこに貫通した嵌入孔が形成される。
【００１３】
キーをシリンダ錠に差し込み、所定角度回した状態で、シリンダ錠をその先端のラッチ部材側から、被合わせ部と合わせ部の嵌入孔に差し込む。キーをシリンダ錠に差し込んで所定角度回した状態のシリンダ錠は、その先端のラッチ部材の平面形状が、外筒部の横断面形状と同じ方向を向いた位置にあって、嵌入孔に差し込み可能である。
【００１４】
そして、シリンダ錠を嵌入孔に差し込んだ状態で、キーを所定角度だけ反対側に回し、元の位置に戻す。このキーの戻し回動により、ラッチ部材が所定角度回動し、ラッチ部材の両端部が固定部の合わせ部の嵌入孔の縁部背面側に係止され、施錠状態となる。
【００１５】
このような施錠時には、被合わせ部と合わせ部とがラッチ部材とシリンダ錠のフランジ部とによって挟持される状態となり、嵌入孔に嵌入されたシリンダ錠、ラッチ部材は、被合わせ部と合わせ部を挟持して何らがたつくことはなく、確実な施錠状態が確保される。シリンダ錠の施錠状態では、キーは差し込み位置に戻っているから、キーをそのまま引けば、容易にシリンダ錠から外すことができる。
【００１６】
一方、基板ボックスの施錠具を解錠する場合は、キーをシリンダ錠に差し込み、所定角度回すと、ラッチ部材が所定角度回動して、ラッチ部材が嵌入孔と同じ平面形状を向き、ラッチ部材の両端部の係止が解除されて、嵌入孔を通過可能な状態となり、そのままキーを持ってシリンダ錠を引けば、シリンダ錠は嵌入孔から外れ、被合わせ部と合わせ部が分離可能な状態となって解錠される。
【００１７】
【発明の実施の形態】
以下、本発明の実施の形態を図面に基づいて説明する。図１は基板ボックス１の正面図を示し、図２はその基板ボックス１を取付板３に取り付けた状態の断面図を示している。基板ボックス１は、基本的には、透明なプラスチックにより箱型に形成され、上部はカバー状の蓋体として開閉可能な構造を有している。
【００１８】
基板ボックス１内に、パチンコ遊技機などの遊技機の遊技状態を制御する回路基板２１が収納され、側部には回路基板２１を外部の機器に接続するためのコネクタ２２が設けられている。図示は省略されているが、基板ボックス１の蓋体（カバー体）には、無理に蓋体を開くと連結部の一部が破壊される個所が形成されており、また、施錠具を施錠状態としたままでは破壊する以外は蓋体を開くことができない構造である。
【００１９】
基板ボックス１の上部に、板状の被合わせ部２が突出して形成され、この被合わせ部２は後述の固定部となる取付板３の合わせ部４と同じ形状に形成され、密に接合可能である。特に、この被合わせ部２は、基板ボックス１の上部を形成する蓋体上に突設され、被合わせ部２を外さなければ、基板ボックス１を開くことはできない。基板ボックス１内には、ＣＰＵ、ＲＯＭ，ＲＡＭ，クロック発振器、インターフェイス回路等を実装した回路基板２１が収納されている。
【００２０】
一方、基板ボックス１が取り付けられる取付板３は、遊技機本体側に固定ねじなどにより固定されている。図２のように、取付板３の下部には係止部３ａが設けられ、基板ボックス１はその下部を取付板３の係止部３ａに係止し、その上部の被合わせ部２を取付板３上部の合わせ部４に接合させるように装着される。つまり、取付板３の上部には基板ボックス１の被合わせ部２と同じ形状の合わせ部４が板状に形成され、被合わせ部２と合わせ部４は密に接合される。
【００２１】
また、この被合わせ部２と合わせ部４には、図３、図４に示すように、平面形状を長円状とする嵌入孔５が、後述のシリンダ錠１０を嵌入可能に、厚さ方向に貫通して形成される。つまり、この嵌入孔５は同一の横断面形状をもって被合わせ部２と合わせ部４に板厚方向に直線状に貫通して穿設されている。また、図３に示すように、嵌入孔５の平面形状は、長円状であり、長軸ａ１とそれより短い短軸ｂ１を有して形成されている。
【００２２】
このように、被合わせ部２と合わせ部４には同一断面形状の嵌入孔５が同軸上に貫通して形成されるが、その合わせ面を正確に位置決めするために、被合わせ部２の内側に位置決めピン８が突設され、合わせ部４の上面に位置決め孔９が位置決めピン８を嵌入可能に形成される。この位置決めピン８を位置決め孔９に嵌入させて合わせ面を合わることにより、被合わせ部２と合わせ部４は位置決めされて、がたつきなく密に接合することができる。
【００２３】
この施錠具では、基板ボックス１を取付板（固定部）３に対し施錠するためにシリンダ錠１０が使用される。シリンダ錠１０はその外筒部１６の横断面形状とその先端に設けたラッチ部材１８の形状が、上記被合わせ部２と合わせ部４の嵌入孔５の平面形状と略同じ形状に形成され、このシリンダ錠１０の外筒部１６とラッチ部材１８を嵌入孔５に、がたつきなく密に差し込むことができる。このために、シリンダ錠１０の外筒部１６は、円筒状の外筒の両側の２面を平坦に切削されて平坦部１７が形成され、外筒部１６の横断面形状を嵌入孔５の横断面形状と略同じにしている。
【００２４】
また、このシリンダ錠１０は、非施錠状態では、図５（ｃ）のように、ラッチ部材１８の平面形状つまりその長軸ａ２の方向が外筒部１６の横断面形状つまりその長軸ａ３と同じ方向を向いた状態であり、施錠状態では、ラッチ部材１８の平面形状の長軸方向が外筒部１６の横断面形状の長軸方向と直角方向に向いた状態である。また、非施錠状態のシリンダ錠１０は、差し込まれたキー２０と錠本体が一体になった状態であり、この非施錠状態でシリンダ錠１０を上記の嵌入孔５に差し込み可能である。
【００２５】
シリンダ錠１０は、図５、図６に示すように、先端部にフランジ部１１を有すると共に、フランジ部１１に続く外筒部１６を有し、外筒部１６の末端から突出した錠軸１２の末端にラッチ部材１８を固定して構成される。また、このシリンダ錠１０は、錠軸１２と一体に回動する回動部に、錠軸１２と平行なタンブラーピン１４とコードピンを設けた構造である。また、キー２０を挿入する先端のキー挿入部１３は円環状に形成され、その中央に錠軸１２の先端部が突設され、さらに、キー挿入部１３内にタンブラーピン１４の上部が突出する。キー２０の先端部はそのキー挿入部１３に挿入可能で、そこに突出するタンブラーピン１４を選択的に所定位置まで押し下げ可能な凹部が円環状に設けられている。
【００２６】
また、キー２０の先端部は円筒状に形成されると共に、図８のように、外周部に１個の突起２０ａを設けて形成され、シリンダ錠１０のキー挿入部１３のカバー部にはその突起２０ａの進入を許容する切欠きが形成されている。したがって、キー２０により錠軸１２を４５度回した状態ではその突起２０ａをキー挿入部１３のカバー部に係止して、キー２０の引き抜きを阻止する構造である。よって、このキー２０は、シリンダ錠１０のキー挿入部１３に差し込み、錠軸１２を４５度回したとき、シリンダ錠１０と一体に連結された状態となる。
【００２７】
そして、このように、キー２０をキー挿入部１３に差し込み４５度回した状態で、つまり錠軸１２を４５度回した状態で、その先端のラッチ部材１８は、図５のように、シリンダ錠１０の外筒部１６と同じ長軸方向に位置し、ラッチ部材１８の先端部が外筒部１６の底面領域から外部に突出することはない。つまり、錠軸１２を４５度回したときには、図５のように、ラッチ部材１８の長軸ａ２の向きは、シリンダ錠１０の外筒部の横断面の長軸ａ３と同じ方向である。一方、キー２０を元の挿入位置に戻すと、ラッチ部材１８の長軸ａ２の向きは、シリンダ錠１０の外筒部の横断面の長軸ａ３に対し直角方向となり、施錠状態となる。
【００２８】
このように構成された基板ボックス１０は、図２に示すように、遊技機の背面側の取付板３の所定部位に、取付板３の下部の係止部３ａに基板ボックス１０の下部を係止させ、その上部の被合わせ部２を取付板３上部の合わせ部４に合わせる。このとき、被合わせ部２の位置決めピン８を合わせ部４の位置決め孔９に嵌入させて合わせ面を合わることにより、被合わせ部２と合わせ部４は位置決めされて、がたつきなく密に接合し、両者の間に穿設された嵌入孔５が正確に合わせられ位置決めされる。
【００２９】
この状態で、図８のように、キー２０をシリンダ錠１０に差し込んで４５度回した状態のシリンダ錠１０をその先端のラッチ部材１８側から、被合わせ部２と合わせ部４の嵌入孔５に差し込む。上述のように、キー２０をシリンダ錠１０に差し込んで４５度回した状態のシリンダ錠１０では、その先端のラッチ部材１８の平面の長軸ａ２が図５に示すように、外筒部１６の横断面の長軸ａ３と同じ方向を向いた位置にあって、嵌入孔５に差し込み可能である。また、キー２０をシリンダ錠１０に差し込んで４５度回した場合、キー２０の先端外周の突起がシリンダ錠１０のキー挿入部１３のカバー部の内側に入り込むため、キー２０はシリンダ錠１０から抜けずに一体となり、キー２０を持って図８のようにシリンダ錠１０を嵌入孔５に容易に差し込むことができる。
【００３０】
そして、シリンダ錠１０を嵌入孔５に差し込んだ状態で、キー２０を例えば左に４５度回してもとの位置に戻す。このキー２０の４５度の戻し回動により錠軸１２が４５度回動すると、ラッチ部材１８が４５度回動して図６に示す状態なり、ラッチ部材１８の長軸ａ２方向の両端部が取付板３の合わせ部４の背面側に係止され、施錠状態となる（図８）。なお、合わせ部４の背面には凹部７が形成されているから、ラッチ部材１８を容易に且つ確実に係止させることができる。
【００３１】
この回動時、ラッチ部材１８は合わせ部４の背面を少し押圧しながら回動するため、また、被合わせ部２と合わせ部４とがラッチ部材１８とシリンダ錠１０のフランジ部１１とによって挟持される状態となるから、回動後の施錠状態では、シリンダ錠１０、ラッチ部材１８、被合わせ部２、合わせ部４共に何らがたつくことはなく、確実な施錠状態が確保される。図６のようなシリンダ錠１０つまりラッチ部材１８の施錠状態では、キー２０は差し込み位置に戻っているから、キーをそのまま引けば、容易にシリンダ錠１０から外すことができる。
【００３２】
一方、基板ボックス１の施錠具を解錠する場合は、キー２０をシリンダ錠１０のキー挿入部１３に差し込み、４５度回すと、錠軸１１２と共にラッチ部材１８が４５度回動して、図５のような状態となり、ラッチ部材１８の平面の長軸ａ２が外筒部１６の長軸ａ３つまり嵌入孔５の長軸ａ１の方向と同じになるため、ラッチ部材１８の両端部の係止が解除されて、嵌入孔５を通過可能な状態となり、そのままキー２０を持ってシリンダ錠１０を引けば、シリンダ錠１０は嵌入孔５から外れ、被合わせ部２と合わせ部４が分離可能な状態となって解錠される。
【００３３】
このように、施錠時には、キー２０を持ってシリンダ錠１０を嵌入孔５に差し込んで回し、解錠時には、キー２０を持って回してシリンダ錠１０を引けば、嵌入孔５から錠を外して解錠できるから、施錠・解錠操作を容易に行うことができる。また、解錠時にはキー２０を持って回してシリンダ錠１０を引けば、嵌入孔５から施錠具が容易に外れるので、基板ボックス１を交換したときなどでも、施錠具を繰り返し使用することができる。
【００３４】
なお、上記実施例では、錠軸と平行にタンブラーピンを配置し、円環状のキー挿入部を設けたシリンダ錠を使用したが、錠軸と直角方向にタンブラーピンを配置しロータ内にキーを差し込む構造のシリンダ錠を使用することもできる。
【００３５】
【発明の効果】
以上説明したように、本発明の基板ボックスの施錠具によれば、シリンダ錠の錠軸にラッチ部材を固定しただけの非常に簡単な構造の錠を使用して製造することができ、安価にかつ簡単に製造することができる。また、施錠時、キーを持ってシリンダ錠を嵌入孔に差し込んで回し、解錠時には、キーを持って回してシリンダ錠を引けば、嵌入孔から錠を外して解錠できるから、施錠・解錠操作を容易に行うことができる。また、解錠時、キーを持って回してシリンダ錠を引けば、嵌入孔から施錠具が容易に外れるので、基板ボックスを交換したときなどでも、施錠具を繰り返し使用することができる。
【図面の簡単な説明】
【図１】本発明の一実施形態を示す基板ボックスの正面図である。
【図２】取付板３に取り付けた状態の基板ボックスの断面図である。
【図３】合わせ部４と被合わせ部２の正面図である。
【図４】合わせ部４と被合わせ部２の分離状態の斜視図である。
【図５】解錠状態のシリンダ錠の正面図（ａ）、同側面図（ｂ）、同背面図（ｃ）である。
【図６】施錠状態のシリンダ錠の正面図（ａ）、同側面図（ｂ）、同背面図（ｃ）である。
【図７】シリンダ錠を差し込む状態の斜視図である。
【図８】シリンダ錠を差し込んで施錠する状態の断面図である。
【符号の説明】
１−基板ボックス
２−被合わせ部
３−取付板（固定部）
４−合わせ部
５−嵌入孔
１０−シリンダ錠
１１−フランジ部
１２−錠軸
１８−ラッチ部材
２０−キー
【図１】
0003757394.tif 000002
【図２】
0003757394.tif 000003
【図３】
0003757394.tif 000004
【図４】
0003757394.tif 000005
【図５】
0003757394.tif 000006
【図６】
0003757394.tif 000007
【図７】
0003757394.tif 000008
【図８】
0003757394.tif 000009